(57)【要約】【課題】例えば、ドアが開くときに、ドアの表面に異物があった場合であっても、異物が出入口用枠縁とドアとの間に引き込まれてしまうことを抑制することができるドア装置を得る。【解決手段】出入口２の側壁を区画する出入口用枠縁３と、出入口用枠縁３と奥行方向に所定の間隙をおいて設けられ、間口方向に移動することで出入口２を開閉するドア４とを備え、ドア４は、出入口２の上側に設けられ、間口方向に移動可能なハンガ９と、ハンガ９から鉛直方向に吊り下げられ回転自在な一対のローラ１０と、この一対のローラ１０に渡って巻き掛けられローラ１０の回転とともに回転する無端状の回転体１１とを有している。【選択図】図２
2009062796.tif 000002
【特許請求の範囲】
【請求項１】
出入口の側壁を区画する出入口用枠縁と、
前記出入口用枠縁と奥行方向に所定の間隙をおいて設けられ、間口方向に移動することで前記出入口を開閉するドアとを備え、
前記ドアは、
前記出入口の上側に設けられた、間口方向に移動可能なハンガと、
前記ハンガから吊り下げられた、回転自在な複数のローラと、
少なくとも両端の前記ローラに渡って巻き掛けられた、前記ローラの回転とともに回転する無端状の回転体とを有したことを特徴とするドア装置。
【請求項２】
前記回転体は、ゴムから構成されていることを特徴とする請求項１に記載のドア装置。
【発明の詳細な説明】
【技術分野】
【０００１】
この発明は、出入口の側壁を区画する出入口用枠縁と、この出入口用枠縁と奥行方向に所定の間隙をおいて設けられ、間口方向に移動することで出入口を開閉するドアとを備えたドア装置に関する。
【背景技術】
【０００２】
従来、出入口の側壁を区画する出入口用枠縁と、前記出入口用枠縁と奥行方向に所定の間隙をおいて設けられ、間口方向に移動することで前記出入口を開閉するドアと、前記出入口用枠縁と前記ドアとの間に設けられ、異物が前記出入口用枠縁とドアとの間に引き込まれたことを検知するセンサとを備えたドア装置が知られている（例えば、特許文献１参照）。
【０００３】
【特許文献１】特開２００４−６０３２５号公報
【発明の開示】
【発明が解決しようとする課題】
【０００４】
しかしながら、このものの場合、例えば、ドアが開くときに、ドアの表面に異物があると、センサが検知してドアの移動が停止するまでの間に、異物が出入口用枠縁とドアとの間に引き込まれてしまうという問題点があった。
【０００５】
この発明は、上述のような問題点を解決することを課題とするものであって、その目的は、例えば、ドアが開くときに、ドアの表面に異物があっても、異物が出入口用枠縁とドアとの間に引き込まれてしまうことを抑制するドア装置を提供するものである。
【課題を解決するための手段】
【０００６】
この発明に係るドア装置は、
出入口の側壁を区画する出入口用枠縁と、前記出入口用枠縁と奥行方向に所定の間隙をおいて設けられ、間口方向に移動することで前記出入口を開閉するドアとを備え、前記ドアは、前記出入口の上側に設けられた、間口方向に移動可能なハンガと、前記ハンガから吊り下げられた、回転自在な複数のローラと、少なくとも両端の前記ローラに渡って巻き掛けられた、前記ローラの回転とともに回転する無端状の回転体とを有している。
【発明の効果】
【０００７】
この発明に係るドア装置によれば、例えば、ドアが開くときに、ドアの表面に異物があっても、異物が出入口用枠縁とドアとの間に引き込まれてしまうことを抑制することができる。
【発明を実施するための最良の形態】
【０００８】
以下、この発明の各実施の形態を図に基づいて説明するが、各図において、同一または相当の部材、部位については、同一符号を付して説明する。
実施の形態１．
図１は実施の形態１に係るドア装置１の正面図、図２は図１のドア４を示す正面図、図３は図２のドア４が閉じた状態を示す正面図、図４（ａ）は図１のＩＶ−ＩＶ線に沿った矢視断面図である。
実施の形態１に係るドア装置１は、エレベータのかご室に取り付けられており、このかご室の出入口２の側壁を区画する出入口用枠縁３と、この出入口用枠縁３と奥行方向に所定の間隙をおいて設けられ、間口方向に移動することで出入口２を開閉する一対のドア４とを備えている。
【０００９】
ドア４は、出入口２の上側に設けられたハンガケース５と、このハンガケース５内に設けられ間口方向に延びたハンガレール６と、このハンガレール６に転動可能に設けられた複数のハンガローラ７とを有しており、両開きするようになっている。
また、ドア４は、ハンガローラ７から支持棒８を介して支持されハンガローラ７とともに間口方向に移動可能なハンガ９と、このハンガ９から鉛直方向に吊り下げられ回転自在な一対のローラ１０と、この一対のローラ１０の間に渡って巻き掛けられローラ１０の回転とともに回転するゴムから構成された無端状の回転体１１とを有している。
【００１０】
ローラ１０の周側面には、凹部１０ａが周方向に等間隔に複数個形成されている。
回転体１１の内周面には、ローラ１０の凹部１０ａと係合する凸部１１ａが複数個形成されている。
ローラ１０の凹部１０ａと回転体１１の凸部１１ａとが係合することで、回転体１１はローラ１０に対して滑らずに、連動して回転する。
なお、ローラ１０の周側面に凸部が形成され、回転体１１の内周面に凹部が形成されてもよい。
【００１１】
ローラ１０の中心には、ハンガ９に回転自在に支持された回転軸１０ｂが設けられており、この回転軸１０ｂにより、ローラ１０はハンガ９に対して回転自在となっている。
【００１２】
かご室の床には、ドア４の下端部が摺動可能な溝が形成されている。
これにより、ドア４の奥行方向への移動を規制することができる。
【００１３】
次に、実施の形態１に係るドア装置１のドア４が開く動作について説明する。
図示しないモータの駆動により、ハンガローラ７がハンガレール６に転動して、ドア４が間口方向に移動して、出入口２が開く。
このとき、図４（ａ）に示すように、ドア装置１に向かって右側のドア４の回転体１１に対して、例えば、利用者の手が触れている場合、ドア４は開く方向に移動すると、回転体１１は、利用者の手との摩擦により時計回りに回転して、利用者の手は右側の出入口用枠縁３側に引き込まれず、そのままの位置となる。
これにより、例えば、ドア４の表面に利用者の手が触れているときにドア４が開いても、出入口用枠縁３とドア４との間に手が引き込まれることを抑制することができる。
【００１４】
次に、実施の形態１に係るドア装置１のドア４が閉じる動作について説明する。
図示しないモータの駆動により、ハンガローラ７がハンガレール６に転動して、ドア４が間口方向に移動して、出入口２が閉じる。
このとき、図４（ｂ）に示すように、ドア装置１に向かって右側のドア４の回転体１１の端部に対して、例えば、利用者の手が接触している場合、ドア４は閉じる方向に移動すると、回転体１１は、利用者の手との摩擦により反時計回りに回転して、利用者の手は右側のドア４と左側のドア４との間に挟まれることなく、そのままの位置となる。
これにより、ドア４の表面に利用者の手が接触しているときにドア４が閉じても、右側の一対のドア４の間に手が挟まれることを抑制することができる。
【００１５】
以上説明したように、実施の形態１に係るドア装置によれば、ドア４が、出入口用枠縁３の上側に設けられた間口方向に移動可能なハンガ９と、このハンガ９から吊り下げられた回転可能な複数のローラ１０と、複数のローラ１０に渡って巻き掛けられた無端状の回転体１１とを有しているので、例えば、ドア４が開くときに、ドア４の表面に利用者の手が接触している場合であっても、利用者の手が出入口用枠縁３とドア４との間に引き込まれてしまうことを抑制することができる。
【００１６】
また、回転体１１は、ゴムであるので、簡単にドア４を構成することができる。
【００１７】
なお、上記実施の形態１では、かご室に取り付けられたドア装置１について説明したが、勿論このものに限らず、例えば、乗場に取り付けられたドア装置であってもよい。さらには、エレベータのドア装置１に限らず、例えば、バスまたは電車等のドア装置１であってもよい。
【００１８】
また、上記実施の形態１では、回転体１１としてゴムを例に説明したが、勿論このものに限らず、無限軌道のように回転できるものであれば他の材料であってもよい。
【００１９】
また、上記実施の形態１では、両開きのドア４を備えたドア装置１について説明したが、勿論このものに限らず、片開きのドア４を備えたドア装置１であってもよい。
【図面の簡単な説明】
【００２０】
【図１】実施の形態１に係るドア装置の正面図である。
【図２】図１のドアを示す正面図である。
【図３】図２のドアが閉じた状態を示す正面図である。
【図４】図４（ａ）は図１のＩＶ−ＩＶ線に沿った矢視断面図、図４（ｂ）は図４（ａ）のドア装置の他の使用形態を示す図である。
【符号の説明】
【００２１】
１  ドア装置、２  出入口、３  出入口用枠縁、４  ドア、５  ハンガケース、６  ハンガレール、７  ハンガローラ、８  支持棒、９  ハンガ、１０  ローラ、１０ａ  凹部、１０ｂ  回転軸、１１  回転体、１１ａ  凸部。
【図１】
2009062796.tif 000003
【図２】
2009062796.tif 000004
【図３】
2009062796.tif 000005
【図４】
2009062796.tif 000006